(57)【特許請求の範囲】
【請求項１】
刃体を支持した刃支持部と、水溶性成分と弾性材を含む非水溶性成分とを含んで成形されたシェービングエイドとを刃体組付部に備えた剃刀において、
その刃支持部には刃体の刃先が露出する表側に対する反対側の裏側でこのシェービングエイドを一体的に取着した取着部を設け、刃体の刃先に対し離れる向きへこの取着部から突出したシェービングエイド自体には、この取着部に取着された固定部を設けるとともに、使用時に皮膚面との接触に伴い変形し得る変形可能部をこの固定部から突出して設け、その変形可能部に設けた突出端縁部をシェービングエイドの突出方向で開放して設け、
前記シェービングエイドにおいて、シェービングエイドの突出方向に対し直交する厚み方向における表裏両面のうち、刃支持部の表側で突出端縁部から連続する変形可能部及び固定部の表面をその厚み方向で露出させ、その変形可能部の突出端縁部で刃支持部の取着部に対する間隔は前記突出方向及び厚み方向に対し直交する刃体の刃先の延設方向の両側ほど狭く設けられ、前記変形可能部の表面は突出端縁部側ほど裏面側へ５〜２０ｍｍの曲率半径で湾曲しているとともに変形可能部の表面で突出端縁部に面取り部を設け、
前記刃体組付部において刃支持部の裏側で前記突出端縁部から連続する部分の裏面を支持する載置部を刃支持部の取着部から突出させ、この載置部にはこの裏面を支持する帯部を前記刃先の延設方向の両側で刃支持部の取着部から延設するとともにその帯部と刃支持部の取着部との間で帯部に沿って止め孔を形成し、前記変形可能部にはその止め孔に挿着された突部を成形して突部の端部を刃支持部の取着部の裏側に露出させた
ことを特徴とするシェービングエイド付き剃刀。
【請求項２】
前記シェービングエイドの変形可能部において、シェービングエイドの突出方向に対し直交する厚み方向における表裏両面のうち、刃支持部で刃体の刃先が露出する表側である表面には凹所を設けたことを特徴とする請求項１に記載のシェービングエイド付き剃刀。
【請求項３】
前記刃体組付部は、ホルダにおいて把持部の上端部に設けられた頭部に対し首振り可能に取り付けられ、刃支持部の表側に対する反対側の裏側に面する頭部の表側とその頭部の表側に対する反対側の裏側とのうち、頭部は把持部に対し表側から裏側に湾曲していることを特徴とする請求項１または請求項２に記載のシェービングエイド付き剃刀。
【発明の詳細な説明】
【技術分野】
【０００１】
本発明は、身体の各種部分に生える膚毛を剃ることができるシェービングエイド付き剃刀に関するものである。
【背景技術】
【０００２】
下記の特許文献１において、シェービングエイドを有する台部材は、刃体組付部材に対し回動可能に支持されて板ばねの弾性力により保持され、使用時にその弾性力に抗して揺動してシェービングエイドと皮膚面との接触による剃り抵抗を緩衝することができる。
【先行技術文献】
【特許文献】
【０００３】
【特許文献１】特許第４９２１７４７号公報
【特許文献２】特開２０１４−９０９３２号公報
【発明の概要】
【発明が解決しようとする課題】
【０００４】
しかし、刃体組付部材に台部材を回動可能に支持して板ばねにより保持する支持構造となっているため、部品点数が増えるとともに刃体組付部材に対する台部材の組付作業を必要として、製造コストが増加する問題があった。ちなみに、本出願人は、この問題を解消するために、特願２０１２−２４４０２７（特開２０１４−９０９３２号公報）として既に特許出願を行っている。
【０００５】
この発明は、シェービングエイドを設けた剃刀において、使用時の剃り味を向上させるシェービングエイドの支持構造を簡単にすることを目的としている。
【課題を解決するための手段】
【０００６】
後記実施形態（図１〜３及び図４（ａ）に示す第１実施形態、図５に示す第２実施形態、図６に示す第３実施形態、図７〜９及び図４（ｂ）に示す第４実施形態のうち第３実施形態）の図面の符号を援用して本発明を説明する。
【０００７】
請求項１の発明（第３実施形態に対応）は下記（イ）〜（ト）の特徴を有している。
（イ）  シェービングエイド付き剃刀において、刃体（１４）を支持した刃支持部（１０）とシェービングエイド（２０）とを刃体組付部（９）に備え、その刃支持部（１０）には刃体（１４）の刃先（１４ａ）が露出する表側に対する反対側の裏側でこのシェービングエイド（２０）を一体的に取着した取着部（１６）を設け、刃体（１４）の刃先（１４ａ）に対し離れる向きへこの取着部（１６）から突出したシェービングエイド（２０）自体には、この取着部（１６）に取着された固定部（２１）を設けるとともに、使用時に皮膚面との接触に伴い変形し得る変形可能部（２２）をこの固定部（２１）から突出して設け、その変形可能部（２２）に設けた突出端縁部（２３）をシェービングエイド（２０）の突出方向（Ｚ）で開放して設けている。
【０００８】
従って、シェービングエイド（２０）自体が変形可能部（２２）で変形して、使用時にシェービングエイド（２０）の変形可能部（２２）と皮膚面との接触による剃り抵抗を緩衝するので、皮膚面に対する感触を良くして剃り味を向上させるとともに、シェービングエイド（２０）の支持構造を簡単にすることができる。また、変形可能部（２２）の突出端縁部（２３）を支持する枠部を設ける必要がなく、突出端縁部（２３）が開放されて露出するので、その突出端縁部（２３）を皮膚面に接触させた際に、変形可能部（２２）を変形し易くして、皮膚面に対する感触をより一層良くして剃り味を向上させることができる。ちなみに、変形可能部（２２）の変形については、変形可能部（２２）が変形力として曲げ力を受けて撓んだ後に復帰する変形、または、変形可能部（２２）が変形力として圧縮力を受けて凹んだ後に復帰する変形、または、その曲げ力及び圧縮力により生じる変形などを意味する。
【００１４】
（ロ）  シェービングエイド（２０）において、シェービングエイド（２０）の突出方向（Ｚ）に対し直交する厚み方向（Ｘ）における表裏両面（２６，２７）のうち、刃支持部（１０）で刃体（１４）の刃先（１４ａ）が露出する表側で突出端縁部（２３）から連続する変形可能部（２２）及び固定部（２１）の表面（２６）をその厚み方向（Ｘ）で露出させるとともに、その表側に対する反対側の裏側で突出端縁部（２３）から連続する部分（２５）の裏面（２７）を支持する載置部（３０）を刃支持部（１０）の取着部（１６）から突出させて前記刃体組付部（９）に備え、この載置部（３０）にはこの変形可能部（２２）の裏面（２７）を支持する帯部（３０ａ）を前記突出方向（Ｚ）及び厚み方向（Ｘ）に対し直交する刃先（１４ａ）の延設方向（Ｙ）の両側で刃支持部（１０）の取着部（１６）から延設するとともにその帯部（３０ａ）と刃支持部（１０）の取着部（１６）との間で帯部（３０ａ）に沿って止め孔（３０ｂ）を形成し、この変形可能部（２２）にはその止め孔（３０ｂ）に挿着された突部（３１）を成形して突部（３１）の端部（３２）を刃支持部（１０）の取着部（１６）の裏側に露出させた。
従って、変形可能部（２２）において突出端縁部（２３）から連続する表面（２６）が露出するので、変形可能部（２２）の突出端縁部（２３）及び表面（２６）を皮膚面に接触させた際に皮膚面に対する感触をより一層良くして剃り味を向上させることができる。また、その際に変形可能部（２２）が例えば変形力として圧縮力を受けて凹んだ後に復帰するので、皮膚面に対する感触をより一層良くして剃り味を向上させることができる。
【００１５】
（ハ）  前記シェービングエイド（２０）は、水溶性成分と、弾性材を含む非水溶性成分とを含んで成形されている。従って、シェービングエイド（２０）の変形可能部（２２）を容易に弾性変形させることができる。
【００１６】
（ニ）  シェービングエイド（２０）の変形可能部（２２）において、シェービングエイド（２０）の突出方向（Ｚ）に対し直交する厚み方向（Ｘ）における表裏両面（２６，２７）のうち、刃支持部（１０）で刃体（１４）の刃先（１４ａ）が露出する表側である表面（２６）は、突出端縁部（２３）側ほど裏面（２７）側へ５〜２０ｍｍの曲率半径で湾曲している。従って、変形可能部（２２）を皮膚面に接触させ易くなって皮膚面に対する感触をより一層良くして剃り味を向上させることができる。例えば、脇やビキニラインなど、狭い部分や細かい部分も剃り易い。
【００１９】
（ホ）  前記刃支持部（１０）の取着部（１６）は刃体（１４）の刃先（１４ａ）に対する反対側に設けられ、シェービングエイド（２０）は、シェービングエイド（２０）の厚み方向（Ｘ）に対し直交するとともに刃体（１４）の刃先（１４ａ）の延設方向（Ｙ）に対し直交する方向（Ｚ）で刃体（１４）の刃先（１４ａ）に対し離れる向きへ突出している。従って、刃支持部（１０）により皮膚面を剃る際に変形可能部（２２）を皮膚面に接触させ易くなる。
【００２０】
（へ）  変形可能部（２２）の突出端縁部（２３）において、刃支持部（１０）の取着部（１６）に対する間隔は、刃体（１４）の刃先（１４ａ）の延設方向（Ｙ）の両側ほど狭く設けられている。従って、変形可能部（２２）の中央部が皮膚面に接触する面積が広くなるので、皮膚面に対する感触をより一層良くして剃り味を向上させることができる。
【００２２】
（ト）  シェービングエイド（２０）の変形可能部（２２）において、シェービングエイド（２０）の突出方向（Ｚ）に対し直交する厚み方向（Ｘ）における表裏両面（２６，２７）のうち、刃支持部（１０）で刃体（１４）の刃先（１４ａ）が露出する表側である表面（２６）で突出端縁部（２３）に面取り部（２３ａ）を設けている。従って、突出端縁部（２３）の面取り部（２３ａ）により、突出端縁部（２３）を皮膚面に接触させた際に皮膚面に対する感触をより一層良くして剃り味を向上させることができる。
請求項１の発明を前提とする請求項２の発明（第３実施形態に対応）にかかるシェービングエイド（２０）の変形可能部（２２）において、シェービングエイド（２０）の突出方向（Ｚ）に対し直交する厚み方向（Ｘ）における表裏両面（２６，２７）のうち、刃支持部（１０）で刃体（１４）の刃先（１４ａ）が露出する表側である表面（２６）には凹所（２６ａ）を設けている。請求項２の発明によれば、凹所（２６ａ）に水分を保持し易くなるので、潤滑性が増して皮膚面に対する感触をより一層良くし、剃り味を向上させることができる。
請求項１または請求項２の発明を前提とする請求項３の発明（第３実施形態に対応）において、前記刃体組付部（９）は、ホルダ（１）において把持部（２）の上端部に設けられた頭部（３）に対し首振り可能に取り付けられ、刃支持部（１０）の表側に対する反対側の裏側に面する頭部（３）の表側とその頭部（３）の表側に対する反対側の裏側とのうち、頭部（３）は把持部（２）に対し表側から裏側に湾曲している。請求項３の発明では、刃体組付部（９）がホルダ（１）の頭部（３）に対し首振りし得るので、刃体組付部（９）のシェービングエイド（２０）を皮膚面に接触させた際に皮膚面に対する感触をより一層良くして剃り味を向上させることができる。また、ホルダ（１）の頭部（３）の湾曲により、刃体組付部（９）の首振り時に刃体組付部（９）及びそのシェービングエイド（２０）が頭部（３）に当たりにくくなり、首振りを円滑に行うことができる。
【発明の効果】
【００２３】
本発明は、シェービングエイド（２０）を設けた剃刀において、使用時の剃り味を向上させるシェービングエイド（２０）の支持構造を簡単にすることができる。
【図面の簡単な説明】
【００２４】
【図１】（ａ）は第１実施形態にかかる首振り式剃刀において剃刀ヘッドの中立位置でキャップを装着して正面側から見た全体斜視図であり、（ｂ）は同じく背面側から見た全体斜視図である。
【図２】（ａ）は図１（ａ）（ｂ）に示す首振り式剃刀においてホルダの頭部及び剃刀ヘッドを示す部分拡大側面図であり、（ｂ）は同じく側面側から見た部分拡大断面図である。
【図３】（ａ）は図１（ａ）（ｂ）に示す首振り式剃刀においてホルダの頭部及び剃刀ヘッドを示す部分拡大正面図であり、（ｂ）は同じく部分拡大背面図である。
【図４】（ａ）は図３（ｂ）において上側のシェービングエイドのみを示す部分拡大縦断面図であり、（ｂ）は図９（ｂ）において上側のシェービングエイドのみを示す部分拡大縦断面図である。
【図５】（ａ）は第２実施形態にかかる首振り式剃刀においてホルダの頭部及び剃刀ヘッドを示す部分拡大背面図であり、（ｂ）は（ａ）において上側のシェービングエイドのみを示す部分拡大縦断面図である。
【図６】（ａ）は第３実施形態にかかる首振り式剃刀においてホルダの頭部及び剃刀ヘッドを示す部分拡大背面図であり、（ｂ）は（ａ）において上側のシェービングエイドのみを示す部分拡大縦断面図である。
【図７】（ａ）は第４実施形態にかかる首振り式剃刀において剃刀ヘッドの中立位置を正面側から見た全体斜視図であり、（ｂ）は同じく背面側から見た全体斜視図である。
【図８】（ａ）は図７（ａ）（ｂ）に示す首振り式剃刀においてホルダの頭部及び剃刀ヘッドを示す部分拡大側面図であり、（ｂ）は同じく側面側から見た部分拡大断面図である。
【図９】（ａ）は図７（ａ）（ｂ）に示す首振り式剃刀においてホルダの頭部及び剃刀ヘッドを示す部分拡大正面図であり、（ｂ）は同じく部分拡大背面図である。
【発明を実施するための形態】
【００２５】
まず、本発明の範囲外である第１実施形態について図１〜３及び図４（ａ）を参照して説明する。
図１（ａ）（ｂ）に示すように、ホルダ１においては把持部２の上端部に頭部３が設けられている。頭部３の正面側には剃刀ヘッド４が首振り機構５により取り付けられている。剃刀ヘッド４の下側にはキャップ４ａが下方から上方へ着脱可能に嵌め込まれている。
【００２６】
図２（ａ）（ｂ）に示すように、首振り機構５においては、ホルダ１の頭部３に設けられた環状の支持部６と、剃刀ヘッド４側に設けられた被支持部７との間に環状の弾性部８が介在され、剃刀ヘッド４は剃り力により中立位置からその弾性部８の付勢力に抗して頭部３の正面側への向きなどを含む三次元方向に傾動した首振り位置を取り、その剃り力の解除により首振り位置から弾性部８の付勢力により中立位置に戻る。
【００２７】
図２（ａ）（ｂ）及び図３（ａ）（ｂ）に示すように、剃刀ヘッド４に設けられた刃体組付部９は刃支持部１０として主体部１１と枠体部１２とを備えている。刃支持部１０の主体部１１においては、台部１３ａと覆い部１３ｂとの間で複数の刃体１４が組み付けられている。前記被支持部７は台部１３ａから突設された連結部７ａと前記弾性部８に取着された連結部７ｂとを有し、その両連結部７ａ，７ｂが互いに挿着されている。
【００２８】
刃支持部１０の枠体部１２は、各刃体１４の刃先１４ａの延設方向Ｙ（左右方向）に対し直交する上下方向Ｚの両側のうち、刃先１４ａ側に設けられた下側の外枠部１５と、刃先１４ａ側に対する反対側に設けられた上側の外枠部１６と、刃先１４ａの延設方向Ｙの両側で下側の外枠部１５と上側の外枠部１６とを互いにつなぐ左側の外枠部１７及び右側の外枠部１８と、これらの外枠部１５，１６，１７，１８で囲まれて前後方向Ｘに開放された開孔１９とを有している。刃支持部１０の主体部１１は開孔１９に嵌め込まれ、主体部１１の下側と上側と左側と右側とを互いにつなぐ外周が各外枠部１５，１６，１７，１８で囲まれている。刃体１４の刃先１４ａは開孔１９で前方へ露出している。
【００２９】
図２（ａ）（ｂ）及び図３（ａ）（ｂ）に示すように、剃刀ヘッド４に設けられた刃体組付部９は、前記刃支持部１０のほかに、枠体部１２における上側外枠部１６に射出成形により一体的に取着されたシェービングエイド２０を備えている。シェービングエイド２０は、水溶性のポリエチレンオキシドなどの水溶性成分と、弾性材としてエラストマー樹脂などの軟質樹脂を含む非水溶性成分とを含んで成形されている。非水溶性成分において軟質樹脂がシェービングエイド２０の全体に対し占める重量割合は、水溶性成分がシェービングエイド２０の全体に対し占める重量割合より大きく設定されている。エラストマー樹脂は３０％以上の重量割合（実施形態では５０％若しくはそれ以上の重量割合）に設定され、水溶性成分は５０％以下の重量割合（実施形態では１５％の重量割合）に設定されている。剃刀ヘッド４において刃体組付部９の刃支持部１０及びシェービングエイド２０と被支持部７について、主体部１１の刃体１４以外は樹脂により成形されている。
【００３０】
図４（ａ）に示すように、シェービングエイド２０は、刃先１４ａの延設方向Ｙに対し直交する上下方向（突出方向Ｚ）で刃先１４ａに対し離れる上向きへ枠体部１２の上側外枠部１６（取着部）から突出し、刃先１４ａが露出する刃支持部１０の表側で上側外枠部１６に取着された固定部２１と、その固定部２１から片持ち梁状に上向きに突出する変形可能部２２とを有している。固定部２１には上側外枠部１６に形成された止め孔１６ａに挿着された突部２１ａが成形されている。
【００３１】
変形可能部２２は、その突出端縁部２３と上側外枠部１６及び固定部２１との間で、その上側外枠部１６及び固定部２１に隣接する基部２４と、その突出端縁部２３を含む先部２５とを有し、使用時に皮膚面との接触に伴い弾性変形して突出方向Ｚに対し直交する前後方向（厚み方向Ｘ）で撓み得る。変形可能部２２の突出端縁部２３の全体は、突出方向Ｚで開放されて露出し、上向きに膨らんで湾曲している。シェービングエイド２０の固定部２１及び変形可能部２２において、刃先１４ａが露出する表側で突出端縁部２３から連続する表面２６の全体はその厚み方向Ｘで露出している。その変形可能部２２において、その表側に対する反対側の裏側で突出端縁部２３から連続する裏面２７の全体はその厚み方向Ｘで露出している。変形可能部２２においては、突出方向Ｚで上側外枠部１６に対する突出端縁部２３の間隔が刃先１４ａの延設方向Ｙの両側ほど狭く設けられて、突出端縁部２３の全体が上向きに膨らんで湾曲している。突出端縁部２３には変形可能部２２の表面２６及び裏面２７に対し滑らかに連続する面取り部２３ａが形成されている。固定部２１から変形可能部２２にわたりそれらの表面２６には凹所２６ａが形成されている。凹所２６ａは幾何学模様や製品名やブランド名や製造者名などを表す表示として利用することができる。変形可能部２２において厚み方向Ｘで先部２５の厚みを基部２４の厚みより薄く形成して先部２５を基部２４より撓み易くしている。変形可能部２２の表面２６は突出端縁部２３側ほど変形可能部２２の裏面２７側へ湾曲している。その表面２６の曲率半径を約３０ｍｍ好ましくは２０〜１００ｍｍに設定する。頭部３は刃支持部１０の裏側に面する表側からその表側に対する反対側の裏側に把持部２に対し湾曲している。
【００３２】
下側の外枠部１５にはシェービングエイド２８が上側の外枠部１６のシェービングエイド２０とともに同時に射出成形されて刃支持部１０の枠体部１２と一体的に取着されている。
【００３３】
次に、剃刀の作用をシェービングエイド２０，２８の機能を中心に説明する。
使用時に中立位置の剃刀ヘッド４を皮膚面に押さえ付けて膚毛を剃ると、剃刀ヘッド４は押さえ付けられる向きに応じて首振り機構５の弾性部８の付勢力に抗して傾動し、膚毛を剃る際の抵抗を和らげる。剃刀ヘッド４のシェービングエイド２０，２８は水分を含んだ状態で皮膚面に当てがわれるため、剃刀ヘッド４の滑りを良くして剃り味を向上させる。シェービングエイド２０の変形可能部２２については、皮膚面との接触に伴い、厚み方向Ｘへ撓んで弾性変形するばかりでなく、突出端縁部２３を突出方向Ｚで開放して露出させているとともに、突出端縁部２３から連続する表面２６を厚み方向Ｘで開放して露出させているため、皮膚面に対する感触を良くする。
【００３４】
図５に示す第２実施形態（本発明の範囲外）においては、変形可能部２２の裏面２７で基部２４と先部２５との間の境界部に段差部２９が形成されている点で、主に第１実施形態と異なる。そのため、第１実施形態の場合と比較して、厚み方向Ｘで先部２５の厚みが基部２４の厚みよりもより一層薄くなって先部２５が基部２４より撓み易くなる。なお、ホルダ１の頭部３及び剃刀ヘッド４を示す部分拡大正面図については、第１実施形態における図３（ａ）と同様である。
【００３５】
図６に示す第３実施形態（本発明）においては、変形可能部２２の裏面２７を支持する載置部３０が上側外枠部１６から一体に突出している点で、主に第１実施形態と異なる。載置部３０には刃先１４ａの延設方向Ｙの両側で上側外枠部１６から帯部３０ａが延設されているとともにその帯部３０ａと上側外枠部１６との間で帯部３０ａに沿って止め孔３０ｂが形成され、変形可能部２２にはその止め孔３０ｂに挿着された突部３１が成形されて突部３１の端部３２が載置部３０の裏側に露出している。変形可能部２２の表面２６の曲率半径については、第１実施形態及び第２実施形態の場合が約３０ｍｍ好ましくは２０〜１００ｍｍであることに対し、約１０ｍｍ好ましくは５〜２０ｍｍに設定する。従って、第３実施形態における表面２６の湾曲度は、第１実施形態及び第２実施形態における表面２６の湾曲度よりも大きくなっている。なお、ホルダ１の頭部３及び剃刀ヘッド４を示す部分拡大正面図については、第１実施形態における図３（ａ）と同様である。
【００３６】
図７〜９及び図４（ｂ）に示す第４実施形態（本発明の範囲外）においては、ホルダ１で把持部２の上端部に設けられた頭部３の正面側に剃刀ヘッド４が支持腕３４及び板ばね３５を有する首振り機構３３により取り付けられ、支持腕３４の先端部にある回動中心軸３３ａを中心に剃刀ヘッド４が上下方向に傾動した首振り位置を取り得る点で、主に第１実施形態と異なる。さらに、第１実施形態で主体部１１と枠体部１２とを有する刃支持部１０に該当する刃支持部１０においては、台部１０ａと覆い部１０ｂとの間で複数の刃体１４が組み付けられ、変形可能部２２の裏面２７を支持する載置部３０が刃支持部１０の台部１０ａの上側から一体に突出している点で、主に第１実施形態と異なる。載置部３０には刃先１４ａの延設方向Ｙの両側で台部１０ａの上側部である取着部１６から帯部３０ａが延設されているとともにその帯部３０ａと取着部１６との間で帯部３０ａに沿って止め孔３０ｂが形成され、変形可能部２２にはその止め孔３０ｂに挿着された突部３１が成形されて突部３１の端部３２が載置部３０の裏側に露出している。その端部３２には止め孔３０ｂの内周縁に沿う環部３２ａの内側で凹み３２ｂが形成されている。シェービングエイド２８は覆い部１０ｂの下側部に対し射出成形により一体的に取着されている。変形可能部２２の表面２６の曲率半径については、約４０ｍｍ好ましくは２０〜２００ｍｍに設定する。
【００３７】
ちなみに、剃刀ヘッド４の刃体組付部９について、第１〜３実施形態では左右方向Ｙの最大寸法が約４４ｍｍ、上下方向Ｚの最大寸法が約２４ｍｍにそれぞれ設定され、第４実施形態では左右方向Ｙの最大寸法が約４６ｍｍ、上下方向Ｚの最大寸法が約２０．５ｍｍにそれぞれ設定されている。また、シェービングエイド２０の変形可能部２２については、第１実施形態では基部２４の付近の厚みが４ｍｍ程度に設定されているとともに先部２５の付近の厚みが２．５ｍｍ程度に設定されて基部２４から先部２５にわたり次第に薄くなっており、第２実施形態では基部２４の付近の厚みが４ｍｍ程度に設定されているとともに先部２５の付近の厚みが１．５ｍｍ程度に設定されて、基部２４から段差部２９を介して先部２５が急に薄くなっている。
【００３８】
本実施形態は特に下記の効果を有する。
（１）  第１〜４実施形態にかかる首振り可能な刃体組付部９においては、弾性材を含むシェービングエイド２０の変形可能部２２が変形力として曲げ力を受けて撓んだ後に復帰したり圧縮力を受けて凹んだ後に復帰したりして、使用時にシェービングエイド２０と皮膚面との接触による剃り抵抗を緩衝するので、皮膚面に対する感触を良くして剃り味を向上させるとともに、シェービングエイド２０の支持構造を簡単にすることができる。
【００３９】
（２）  第１〜２実施形態にかかる首振り可能な刃体組付部９において、シェービングエイド２０の変形可能部２２は、シェービングエイド２０の厚み方向Ｘで撓み得る片持ち梁状に設けられているので、使用時に変形可能部２２が皮膚面との接触による剃り抵抗に応じて撓み易くなり、皮膚面に対する感触をより一層良くして剃り味を向上させることができる。
【００４０】
（３）  第１〜４実施形態にかかる首振り可能な刃体組付部９においては、変形可能部２２の突出端縁部２３を支持する枠部を設ける必要がなく、変形可能部２２の突出端縁部２３及び表面２６が開放されて露出するので、その突出端縁部２３及び表面２６を皮膚面に接触させた際に、変形可能部２２が変形し易くなり、皮膚面に対する感触をより一層良くして剃り味を向上させることができる。
（４）  第３〜４実施形態にかかる首振り可能な刃体組付部９において、変形可能部２２の裏面２７を支持する載置部３０には刃先１４ａの延設方向Ｙの両側で刃支持部１０の取着部１６から帯部３０ａを延設するとともにその帯部３０ａと刃支持部１０の取着部１６との間で帯部３０ａに沿って止め孔３０ｂを形成し、この変形可能部２２にはその止め孔３０ｂに挿着された突部３１を成形して突部３１の端部３２を刃支持部１０の取着部１６の裏側に露出させた。従って、変形可能部２２において突出端縁部２３から連続する表面２６が露出するので、変形可能部２２の突出端縁部２３及び表面２６を皮膚面に接触させた際に皮膚面に対する感触をより一層良くして剃り味を向上させることができる。また、その際に変形可能部２２が例えば変形力として圧縮力を受けて凹んだ後に復帰するので、皮膚面に対する感触をより一層良くして剃り味を向上させることができる。
（５）  第３実施形態にかかる首振り可能な刃体組付部９のシェービングエイド２０において、シェービングエイド２０の突出方向Ｚに対し直交する厚み方向Ｘにおける表裏両面２６，２７のうち、刃支持部１０で刃体１４の刃先１４ａが露出する表側である変形可能部２２の表面２６は、突出端縁部２３側ほど裏面２７側へ５〜２０ｍｍの曲率半径で湾曲している。従って、変形可能部２２を皮膚面に接触させ易くなって皮膚面に対する感触をより一層良くして剃り味を向上させることができる。例えば、脇やビキニラインなど、狭い部分や細かい部分も剃り易い。
【００４１】
前記実施形態以外にも例えば下記のように構成してもよい。
・  前記各実施形態おいては、シェービングエイド２０の厚み方向Ｘに対し直交するとともに刃体１４の刃先１４ａの延設方向Ｙに対し直交する方向Ｚで、シェービングエイド２０を刃支持部１０の上側外枠部１６から上向きに突出させているが、シェービングエイド２０をシェービングエイド２８に代えて刃支持部１０の下側外枠部１５から下向きに突出させてもよい。また、シェービングエイド２０の厚み方向Ｘに対し直交するとともに刃体１４の刃先１４ａの延設方向Ｙに沿う方向で、シェービングエイド２０を左側外枠部１７または右側外枠部１８または左右両側外枠部１７，１８から突出させてもよい。
【００４２】
・  前記各実施形態において、シェービングエイド２０の表面２６には厚み方向Ｘに変形し易いように可撓部を形成してもよい。
・  前記各実施形態において、首振り機構５を省略し、剃刀ヘッド４をホルダ１の頭部３に対し首振り不能に支持してもよい。
【００４３】
・  前記各実施形態において、剃刀ヘッド４のシェービングエイド２８を省略する。
・  前記各実施形態において、シェービングエイド２０の表面２６で凹所２６ａを省略する。また、凹所２６ａに代えて凸部により表示してもよい。
【００４４】
・  前記第１〜３実施形態の刃支持部１０においては、主体部１１が枠体部１２に対し着脱不能に嵌め込まれているが、主体部１１を枠体部１２に対し着脱可能に嵌め込んでもよい。
【００４５】
・  前記第１〜３実施形態の剃刀ヘッド４において、シェービングエイド２０の一部または全部をキャップ４ａで覆うようにしてもよい。
・  前記第１〜４実施形態においては、ホルダ１に剃刀ヘッド４を着脱不能に取り付けているが、ホルダ１に剃刀ヘッド４を着脱可能に取り付けて交換可能にしてもよい。
【００４６】
・  前記第１〜２実施形態においては、使用時に剃刀ヘッド４に付与される剃り力に応じて、剃刀ヘッド４が首振りしたりシェービングエイド２０の変形可能部２２が撓んだりするが、剃刀ヘッド４の首振りと変形可能部２２の撓みとのうち、一方が他方より先に生じたり、首振りと撓みとが同時に生じたりするように、設定することができる。
【００４７】
・  前記第１〜４実施形態において、刃支持部１０にシェービングエイド２０を取着する際には、射出成形により一体成形すること以外に、例えば、刃支持部１０にシェービングエイド２０を嵌め込んだり接着したりしてもよい。また、前記第１〜３実施形態において、枠体部１２もシェービングエイドにより成形してその一部をシェービングエイド２０にするとともに、その枠体部１２に主体部１１を嵌め込んでもよい。
【符号の説明】
【００４８】
１…ホルダ、２…ホルダの把持部、３…ホルダの頭部、４…剃刀ヘッド、５…首振り機構、９…剃刀ヘッドの刃体組付部、１０…刃体組付部の刃支持部、１４…刃体、１４ａ…刃先、１６…刃支持部の外枠部（取着部）、２０…シェービングエイド、２２…シェービングエイドの変形可能部、２３…変形可能部の突出端縁部、２４…変形可能部の基部、２５…変形可能部の先部、２６…変形可能部の表面、２７…変形可能部の裏面、２９…変形可能部の段差部、Ｚ…シェービングエイドの突出方向、Ｘ…シェービングエイドの厚み方向、Ｙ…刃先の延設方向。
【図１】
0006430742.tif 000002
【図２】
0006430742.tif 000003
【図３】
0006430742.tif 000004
【図４】
0006430742.tif 000005
【図５】
0006430742.tif 000006
【図６】
0006430742.tif 000007
【図７】
0006430742.tif 000008
【図８】
0006430742.tif 000009
【図９】
0006430742.tif 000010